(57)【要約】【課題】トップ下着に用いる肩かけ用ストラップが違和感や痛感を与えず肩や背中によくフィットしかつ長さ調節も容易にできるようにすることである。【解決手段】伸縮性の紐状部材から成るストラップ２０のブラジャカップ２側の端部に、ストラップの幅方向に貫通する複数のスリットを設け、これらのスリットをストラップの長さ方向の中心線とほぼ直角とし、ストラップ２０のブラジャ背帯３側の端部に、一以上の幅方向に傾斜したスリットを設け、これらのスリットと係止具５とをそれぞれ選択的に係合可能としたのである。【選択図】図８
0003167001.tif 000002
【実用新案登録請求の範囲】
【請求項１】
トップ下着のカップの上端部に設けられたストラップ接続部とトップ下着の背面の上端部に設けられたストラップ接続部を接続して人体の肩に廻し掛ける伸縮性のフラットな紐状部材より成るストラップにおいて、前記紐状部材の両端部に一以上の幅方向に貫通するスリットを設け、このスリットを紐状部材のカップ側の端部では紐状部材の長さ方向中心線に対してほぼ直角とし、紐状部材の下着背面側の端部では前記中心線に対して６５°〜８０°の範囲で傾斜させ、前記カップのストラップ接続部に取り付けた係止具と前記直角のスリットの一つと選択的に係合可能とし、前記背面のストラップ接続部に取り付けた係止具と前記傾斜スリットの一つと選択的に係合可能としたことを特徴とするトップ下着用ストラップ。
【請求項２】
前記係止具はリング部と一体のフック部より成り、前記リング部が前記カップ及び背面のストラップ接続部の先端に設けられたループ部に係止され、前記フック部が前記直角のスリットまたは傾斜スリットに着脱自在に係合可能とした請求項１に記載のトップ下着用ストラップ。
【請求項３】
前記係止具は一対のフック部を有する略Ｓ字形状をなし、一方のフック部が前記カップまたは背面のストラップ接続部に設けられたループ部に着脱自在に係止可能とし、他方のフック部が前記直角のスリットまたは傾斜スリットに着脱自在に係止可能とした請求項１に記載のトップ下着用ストラップ。
【請求項４】
下着の前面に設けられた一対のカップと、前記それぞれのカップの上端部と下着の背面の上端部をつなぎ人体の肩に掛けるようにしたストラップを有するトップ下着において、前記ストラップが請求項１〜３のいずれかから成ることを特徴とするトップ下着。
【考案の詳細な説明】
【技術分野】
【０００１】
この考案は、ブラジャやスリップ等のトップ下着を持ち上げるために肩にかけるストラップとそれを用いたトップ下着に関する。
【背景技術】
【０００２】
例えばブラジャの場合、図１１に示すように、通常のストラップ１、１は、一対のカップ２、２の上端部と、カップ２、２の下側縁にそれぞれつながる背帯３、３の外側上端部とを連結している。このストラップ１、１は、伸縮自在の紐状部材より成っており、これらのストラップ１、１を両肩に掛け、カップ２、２をバストに被せ、背帯３、３を背中に廻して背帯３、３の外端のホック４、４を係合し、ブラジャを着装している。
【０００３】
上記ストラップ１は、その長さを調整できるようになっているのが普通である。例えば図１２及び図１３に示すように、ストラップ１の両端には、係止具５が取り付けられ、中途部分には長さ調整具６が取り付けられている。係止具５は、リング部５ａとフック部５ｂより成り、図１２に示すように、リング部５ａはストラップ１の一端に設けたループ部１ａに接続されている。このループ部１ａはストラップ１の一端を折り返して中空環状にしたものである。そしてフック部５ｂは背帯３の外側上端のストラップ接続部に設けたループ部３ａに係止されている。このループ部３ａも前記ループ部１ａと同様に中空環状になっているから、フック部５ｂを引掛けることができる。従ってフック部５ｂとループ部３ａは着脱自在である。
【０００４】
一方ストラップ１の他端部は、図１３に示すように、折り返されて二重になっており、その折り返し部に前記と同様の係止具５が取り付けられ、係止具５のフック部５ｂがカップ２の上端のストラップ接続部に設けたループ部２ａに引掛けられている。また、二重に折り返されたストラップ１の内端のループ部１ｂには、長さ調整具６が取り付けられている。この長さ調整具６は、２個のリング部６ａ、６ｂを一体に設けたものであって、折り返した一方のストラップ１のループ部１ｂは中間のバー６ｃに接続され、他方のストラップ１はループ部１ｂの上面に重ねてリング部６ｂ、６ａに挿通される。そしてストラップ１の緊張を弛めると、長さ調整具６をストラップ１に沿って自由に移動でき、ストラップ１を緊張させると長さ調整具６はその位置に留められ、ストラップ１全体の長さを調節することができる。
【０００５】
このような構造のストラップ１では、ブラジャを着装したままで長さ調整具６を移動させてストラップ１の長さを調整することが難しく、操作に手間がかかる問題がある。しかもストラップ１が二重に重なり合った部分及び長さ調整具６の個所で人体に違和感や時には痛感を与える問題もある。
【０００６】
上記のようなストラップのほか、図１４、１５に示すように、ストラップ１０の幅方向に多数の貫通スリット１１を設け、ストラップ１０の両端にそれぞれ前記と同様の係止具５をリング部５ａで接続し、ストラップ１０の中間に係止具５のリング部５ａをスライド可能に挿通したものがある。このストラップ１０を用いる場合には、図１５に示すように、ストラップ１０を折り返して一端の係止具５のフック部５ｂを任意のスリット１１に挿入係止し、スライド可能の係止具５を図のように折り返し部に位置させると、ストラップ１０の長さ調節と同時に両端の係止具５、５のフック部５ｂをそれぞれカップ２のループ部２ａと背帯３のループ部３ａに引掛けてつなぐことができる。
【０００７】
しかしながら、このストラップ１０も前述のストラップ１と同様に、折り返し部が二重になりかつ中間に係止具５があるため、人体に違和感や痛感を生じさせる問題がある。
【０００８】
また、前記ループ部２ａ、３ａは、カップ２または背帯３のストラップ接続部の中心線にほぼ直角に形成され、またいずれのストラップ１、１０も端部が中心線に対して直角になっているため、人体のバスト上部から背中の中央部近辺に廻し掛けたとき、フラットな紐状部材より成るストラップが特に肩の傾斜になじまず幅方向に密着せずに部分的に浮き上る問題がある。
【考案の概要】
【考案が解決しようとする課題】
【０００９】
そこで、この考案の課題は、ストラップが違和感や痛感を与えず肩や背中にぴったりとフィットしかつ長さ調節も容易にできるようにすることである。
【課題を解決するための手段】
【００１０】
上記の課題を解決するために、この考案は、トップ下着のカップの上端部に設けられたストラップ接続部とトップ下着の背面の上端部に設けられたストラップ接続部を接続して人体の肩に廻し掛ける伸縮性のフラットな紐状部材より成るストラップにおいて、前記紐状部材の両端部に一以上の幅方向に貫通するスリットを設け、このスリットを紐状部材のカップ側の端部では紐状部材の長さ方向中心線に対してほぼ直角とし、紐状部材の下着背面側の端部では前記中心線に対して６５°〜８０°の範囲で傾斜させ、前記カップのストラップ接続部に取り付けた係止具と前記直角のスリットの一つと選択的に係合可能とし、前記背面のストラップ接続部に取り付けた係止具と前記傾斜スリットの一つと選択的に係合可能としたことを特徴とする。
【００１１】
前記係止具はリング部と一体のフック部より成り、前記リング部が前記カップ及び背面のストラップ接続部の先端に設けられたループ部に係止され、前記フック部が前記直角のスリットまたは傾斜スリットに着脱自在に係合可能とされている。
【００１２】
また、前記係止具は一対のフック部を有する略Ｓ字形状をなし、一方のフック部が前記カップまたは背面のストラップ接続部に設けられたループ部に着脱自在に係止可能とし、他方のフック部が前記直角のスリットまたは傾斜スリットに着脱自在に係止可能としたものでもよい。
【００１３】
さらに、この考案は、下着の前面に設けられた一対のカップと、前記それぞれのカップの上端部と背面の上端部をつなぎ人体の肩に掛けるようにしたストラップを有するトップ下着において、前記ストラップを前述のような構成としたことを特徴とする。
【考案の効果】
【００１４】
この考案によれば、以上のように、ストラップを形成するフラットな紐状部材の両端部に一以上のスリットを設け、このスリットに係止具のフック部を挿通して係止できるようにしたので、スリットを選択することによって簡単にストラップの長さを調整することができ、またフラットな紐状部材が二重になる個所もなく紐状部材の途中に長さ調整具を取り付けることも要らないので、人体に違和感や痛感を与えることもない。
【００１５】
さらに、紐状部材の一端部のスリットを適当に傾斜させておくことによって、ストラップが幅方向に浮き上ることなく人体の肩部にぴったりと密着する効果がある。
【図面の簡単な説明】
【００１６】
【図１】この考案のストラップの一例を示す平面図
【図２】同上の側面図
【図３】ストラップの一端部の他の例を示す拡大平面図
【図４】係止具とストラップの係合状態を示す部分拡大平面図
【図５】係止具とストラップの係合状態を示す部分拡大平面図
【図６】係止具とストラップの係合状態を示す部分拡大平面図
【図７】係止具とストラップの係合状態を示す部分拡大平面図
【図８】この考案のストラップを取り付けたブラジャの背面図
【図９】この考案のストラップを取り付けたブラジャの他の例を示す背面図
【図１０】この考案のブラジャを着装した状態を示す上面図
【図１１】従来のブラジャを示す正面図
【図１２】従来のストラップを示す斜視図
【図１３】従来のストラップを示す部分縦断側面図
【図１４】従来のストラップの他の例を示す平面図
【図１５】同上の使用例を示す側面図
【考案を実施するための形態】
【００１７】
以下、この考案の実施形態をブラジャを例にとって図１乃至図１０を参照しながら説明する。図１、２に示すように、ストラップ２０は、伸縮性のあるフラットな紐状部材より成り、一端部には複数の貫通スリット２１が幅方向に設けられている。これらのスリット２１は、ストラップ２０の長さ方向中心線Ａ−Ａに対してほぼ直角に設けられている。一方、ストラップ２０の他端部には、幅方向に一定の傾斜をもったスリット２２ａ、２２ｂ、２２ｃが設けられている。
【００１８】
前記スリット２１の数は複数であれば任意であるが、２〜１５程度が好ましく、等間隔、例えば２〜６ｍｍ間隔に設けるのがよい。一方傾斜スリット２２ａ、２２ｂ、２２ｃは、図示の場合３個の異なった傾斜を有する例を示したが、同一の傾斜をもつスリットでもよい。即ち図３に示すように、同一の傾斜をもつスリットを一以上設けてもよい。傾斜角は、図１に示す場合、∠αは７０°、∠βは７２°、∠γは７７°であるが、６５°〜８０°の範囲で適宜数のスリットを設けることができる。
【００１９】
このようなストラップ２０は、具体的には弾性糸、例えばポリウレンタ弾性糸をコアとするカバリング糸を主体とした二重織で形成し、スリット２１やスリット２２ａの部分は表地と裏地を分離し他の部分は一体に織成すればよい。ストラップ２０の幅は１０ｍｍ〜２０ｍｍ程度、長さは２５ｃｍ〜４５ｃｍ程度がよく、またスリット２１や２２ａの幅及び長さは、従来の係止具５のフック部５ｂが係止可能な寸法に形成されている。
【００２０】
上記のようなストラップ２０をブラジャに取り付けるには、図４乃至図７に示す方法が最もよい。図中、符号２ａは前述したブラジャのカップ２の上端に設けられたストラップ接続部に形成されたループ部であり、符号３ａは背帯３の外側上端部に設けられたストラップ接続部に形成されたループ部、符号５は係止具、５ａはそのリング部、５ｂはフック部である。
【００２１】
図４及び図５に示すように、カップ２のループ部２ａには予め係止具５のリング部５ａが挿通され取り付けられている。図示のように、このループ部２aはカップ２の外側上端に設けたストラップ接続部の中心線に対してほぼ直角に形成されている。この状態でストラップ２０の一端部に設けられたスリット２１のいずれかに係止具５のフック部５ｂを引掛けてカップ２とストラップ２０の一端を連結する。当然のことながら、係止具５のリング部５ａに形成された長方形状の係止穴とフック部５ｂはほぼ平行になっているから、スリット２１によって係止され接続されたストラップ２０の一端部は、図４の鎖線Ｂで示すようにループ部２ａからほぼ真直ぐに延びる。一方、背帯３のループ部３aも外側上端に設けたストラップ接続部の中心線に対してほぼ直角に形成されている。従って図５の鎖線Ｃで示すように、係止具５のフック部５ｂによって傾斜スリット２２ａに係止され接続されたストラップ２０の他端部は、背帯３のループ部３ａから屈曲して延びることになる。
【００２２】
図６及び図７は、図４及び図５とは異なる係止具を用いた例を示す。図示のように、係止具５’はほぼＳ字形になっており逆向きのフック部５’ａ、５’ｂを連結したものである。これを用いると、ループ部２ａ、３ａに予め係止具を取り付けておく必要はない。なお、図６、７ではフック部５’ｂで別のスリット２１、２２ｂを選択した例を示している。
【００２３】
図８、９は、上述のようにしてストラップ２０を取り付けたブラジャの例を示している。図８はストラップ２０、２０を並列して取り付けた例、図９はストラップ２０、２０をＸ状にクロスさせて取り付けた例を示す。いずれでの場合でもよいが、ストラップ２０のスリット２１を選択して長さが丁度人体に合致するよう調節し、かつスリット２２ａ、２２ｂ、２２ｃで傾斜を調節して取り付ける。この場合傾斜スリット２２ａ等の傾斜方向は、ストラップ２０が外側に屈曲するように取り付ける。即ち図５の鎖線Ｃが外側に折れ曲る方向に取り付ける。このようにすると、図１０に示すように、ブラジャを着装したとき、ストラップ２０、２０が背中からバスト方向に外側に拡がるようになり（通常の市販ブラジャでは背帯３のストラップ係止部即ちループ部３ａ、３ａ間の間隔の方がカップ２のストラップ係止部即ちループ部２ａ、２ａ間の間隔より狭い）、かつストラップ２０、２０がスリット２２ａまたは２２ｂ、２２ｃによって幅方向の外側に低くなるように傾斜しているので、人体の肩部Ｓ、Ｓの外側方向の傾斜（所謂なで肩）によくフィットする。また、ストラップ２０は二重に重なり合った部分もなく、長さ調整具もないので違和感や痛感を与えることもない。なお、ストラップ２０のスリット２１または２２ａ、２２ｂ、２２ｃをフック部５ｂまたは５’ｂで係止した後の余分な部分はハサミ等で切除するのがよい。また、係止具５、５’はできるだけフラットな厚みの小さいものを用いるのがよい。
【００２４】
前述のように、この発明のストラップは、ブラジャに限らずスリップ等のトップ下着に用いられる。例えばスリップの場合は、前面の前身頃に設けたカップ部上部に形成されたストラップ接続部から、背面の後身頃の上端に設けたストラップ接続部に掛け渡して用いればよい。使用法はブラジャの場合と全く同じである。
【符号の説明】
【００２５】
１  従来のストラップ
２  カップ
２ａ  ループ部
３  背帯
３ａ  ループ部
４  ホック
５、５’  係止具
５ａ  リング部
５ｂ、５’ａ、５’ｂ  フック部
６  長さ調整具
６ａ、６ｂ  リング部
６ｃ  バー
１０  従来のストラップ
１１  スリット
２０  ストラップ
２１、２２ａ、２２ｂ、２２ｃ  スリット
Ａ  ストラップの中心線
Ｂ、Ｃ  ループ部とストラップの中心線
【図１】
0003167001.tif 000003
【図２】
0003167001.tif 000004
【図３】
0003167001.tif 000005
【図４】
0003167001.tif 000006
【図５】
0003167001.tif 000007
【図６】
0003167001.tif 000008
【図７】
0003167001.tif 000009
【図８】
0003167001.tif 000010
【図９】
0003167001.tif 000011
【図１０】
0003167001.tif 000012
【図１１】
0003167001.tif 000013
【図１２】
0003167001.tif 000014
【図１３】
0003167001.tif 000015
【図１４】
0003167001.tif 000016
【図１５】
0003167001.tif 000017